(57)【要約】【課題】手動による操作入力に応じて閉鎖信号が発せられた場合に、より確実にシャッターカーテンを閉鎖させることができるシャッター装置を提供する。【解決手段】シャッター装置は、正常状態において、手動による操作に応じて発せられる閉鎖信号の入力があった場合に制御信号を出力する制御部と、閉鎖信号および制御信号のうち、少なくとも閉鎖信号の入力があった場合に電源電圧を出力する電源部と、電源部による電源電圧の出力に応じてシャッターカーテンを閉鎖させる閉鎖装置と、を含む。【選択図】図２
2016098564.tif 000002
【特許請求の範囲】
【請求項１】
正常状態において、手動による操作に応じて発せられる閉鎖信号の入力があった場合に制御信号を出力する制御部と、
前記閉鎖信号および前記制御信号のうち、少なくとも前記閉鎖信号の入力があった場合に電源電圧を出力する電源部と、
前記電源部による前記電源電圧の出力に応じてシャッターカーテンを閉鎖させる閉鎖装置と、
を含むシャッター装置。
【請求項２】
前記電源部は、前記閉鎖信号および前記制御信号のうち、少なくとも前記閉鎖信号の入力があった場合に接点が切り替わるスイッチを含み、前記接点の切り替えに応じて前記電源電圧を出力する
請求項１に記載のシャッター装置。
【請求項３】
前記スイッチは、通電により前記接点を切り替えるコイルを含み、
前記電源部は、前記制御信号が入力された場合に前記コイルを通電させる第１の回路と、前記制御信号が入力されず且つ前記閉鎖信号が入力された場合に前記コイルを通電させる第２の回路と、を含む
請求項２に記載のシャッター装置。
【請求項４】
前記スイッチは、通電により前記接点を切り替えるコイルを含み、
前記電源部は、前記制御信号が入力された場合に前記コイルを通電させる第１の回路と、前記制御信号および前記閉鎖信号の少なくとも一方が入力された場合に前記コイルを通電させる第２の回路と、を含む
請求項２に記載のシャッター装置。
【請求項５】
前記スイッチは、通電により前記接点を切り替えるコイルを含み、
前記電源部は、前記制御信号および前記閉鎖信号の少なくとも一方が入力された場合に前記コイルを通電させる回路を含む
請求項２に記載のシャッター装置。
【請求項６】
手動による操作入力に応じて前記閉鎖信号を出力する手動装置を更に含む
請求項１から請求項５のいずれか１項に記載のシャッター装置。
【発明の詳細な説明】
【技術分野】
【０００１】
本発明は、シャッター装置に関する。
【背景技術】
【０００２】
火災等の災害発生時に、建物の開口部に設置されたシャッターカーテンを閉鎖状態とすることで、防災区画を形成するシャッター装置が知られている。
【０００３】
例えば特許文献１には、火災発生時において、中継器を介して入力される防災信号や手動閉鎖装置からの操作信号に応じて、シャッターカーテンのブレーキによる開放状態の保持を解除し、シャッターカーテンを自重で降下させるシャッター装置が記載されている。
【先行技術文献】
【特許文献】
【０００４】
【特許文献１】特開２００７−１３８３９６号公報
【発明の概要】
【発明が解決しようとする課題】
【０００５】
熱感知器や煙感知器によって火災を感知した場合に発せられる防災信号のみならず、手動閉鎖装置に設けられたボタンスイッチが操作された場合に、手動閉鎖装置から発せられる閉鎖信号に応じてシャッターカーテンを閉鎖するシャッター装置が知られている。この種のシャッター装置は、例えば以下のように動作する。手動閉鎖装置から発せられる閉鎖信号は、中継器を構成するマイクロコンピュータに入力される。マイクロコンピュータは、閉鎖信号が入力された場合に制御信号を出力する。中継器は、マイクロコンピュータから出力される制御信号に基づいて自動閉鎖装置を起動するための電源電圧を出力する。自動閉鎖装置は、中継器から電源電圧の供給を受けることにより起動し、シャッターカーテンを開放状態に保持するブレーキを解除することにより、シャッターカーテンを自重で降下させる。
【０００６】
しかしながら、マイクロコンピュータは、火災時の熱の影響によって正常に機能しなくなるおそれがある。また、マイクロコンピュータは、一般的に端子間のピッチが狭く、導電性の異物が端子間に付着した場合に正常に機能しなくなるおそれがある。上記の構成のシャッター装置によれば、マイクロコンピュータが正常に機能しない場合には、マイクロコンピュータは、手動閉鎖装置から発生される閉鎖信号に基づいて適正な制御信号を出力することができず、その結果、自動閉鎖装置が起動されないおそれがある。すなわち、災害発生時に手動閉鎖装置のボタンスイッチを操作してもシャッターカーテンが降下しないという事態を招くおそれがある。
【０００７】
本発明は、手動による操作入力に応じて閉鎖信号が発せられた場合に、より確実にシャッターカーテンを閉鎖させることができるシャッター装置を提供することを目的とする。
【課題を解決するための手段】
【０００８】
本発明に係るシャッター装置は、正常状態において、手動による操作に応じて発せられる閉鎖信号の入力があった場合に制御信号を出力する制御部と、前記閉鎖信号および前記制御信号のうち、少なくとも前記閉鎖信号の入力があった場合に電源電圧を出力する電源部と、前記電源部による前記電源電圧の出力に応じてシャッターカーテンを閉鎖させる閉鎖装置と、を含む。
【０００９】
前記電源部は、前記閉鎖信号および前記制御信号のうち、少なくとも前記閉鎖信号の入力があった場合に接点が切り替わるスイッチを含み、前記接点の切り替えに応じて前記電源電圧を出力してもよい。
【００１０】
前記スイッチは、通電により前記接点を切り替えるコイルを含んでいてもよい。この場合において、前記電源部は、前記制御信号が入力された場合に前記コイルを通電させる第１の回路と、前記制御信号が入力されず且つ前記閉鎖信号が入力された場合に前記コイルを通電させる第２の回路と、を含んでいてもよい。また、前記電源部は、前記制御信号が入力された場合に前記コイルを通電させる第１の回路と、前記制御信号および前記閉鎖信号の少なくとも一方が入力された場合に前記コイルを通電させる第２の回路と、を含んでいてもよい。また、前記電源部は、前記制御信号および前記閉鎖信号の少なくとも一方が入力された場合に前記コイルを通電させる回路を含んでいてもよい。
【００１１】
本発明に係るシャッター装置は、手動による操作入力に応じて前記閉鎖信号を出力する手動装置を更に含み得る。
【発明の効果】
【００１２】
本発明に係るシャッター装置によれば、手動による操作入力に応じて閉鎖信号が発せられた場合に、より確実にシャッターカーテンを閉鎖させることができる。
【図面の簡単な説明】
【００１３】
【図１】本発明の実施形態に係るシャッター装置の構成を示す図である。
【図２】本発明の第１の実施形態に係る危害防止用連動中継器の構成を示す図である。
【図３Ａ】本発明の実施形態に係るリレーにおいて、コイルに通電がない場合におけるスイッチ部の接続状態を示す図である。
【図３Ｂ】本発明の実施形態に係るリレーにおいて、コイルに通電がある場合におけるスイッチ部の接続状態を示す図である。
【図４】比較例に係る危害防止用連動中継器の構成を示す図である。
【図５】本発明の第２の実施形態に係る危害防止用連動中継器の構成を示す図である。
【図６】本発明の第３の実施形態に係る危害防止用連動中継器の構成を示す図である。
【発明を実施するための形態】
【００１４】
以下、本発明の実施形態の一例を図面を参照しつつ説明する。なお、各図面において同一または等価な構成要素および部分には同一の参照符号を付与している。
【００１５】
[第１の実施形態]
図１は、本発明の実施形態に係るシャッター装置１０の構成を示す図である。シャッター装置１０は、シャッターカーテン２０、手動閉鎖装置３０、危害防止用連動中継器４０および自動閉鎖装置５０を含んで構成されている。
【００１６】
シャッターカーテン２０は、例えば建物の出入口や通路等の開口部に設けられる。シャッターカーテン２０は、開放状態においては、シャッターケース２５内に設けられた巻取りシャフト（図示せず）に巻き取られた状態でシャッターケース２５内に収容され、自動閉鎖装置５０が備えるブレーキ（図示せず）によって開放状態に保持される。
【００１７】
自動閉鎖装置５０は、シャッターケース２５内に収容されている。自動閉鎖装置５０は、危害防止用連動中継器４０から電力供給を受けると起動し、シャッターカーテン２０を開放状態に保持するブレーキを解除する。これにより、シャッターカーテン２０は、シャッターケース２５から自重によって降下し、開口部を閉鎖する。
【００１８】
危害防止用連動中継器４０は、配線Ｗ１を介して防災盤（図示せず）に接続されるとともに、配線Ｗ２を介して自動閉鎖装置５０に接続されている。災害発生時に防災盤（図示せず）から発せられる防災信号は、危害防止用連動中継器４０を介して自動閉鎖装置５０に供給される。自動閉鎖装置５０は、防災信号を受信すると、シャッターカーテン２０を開放状態に保持するブレーキを解除し、シャッターカーテン２０を降下させる。なお、防災盤は、熱感知器や煙感知器によって火災を感知した場合に防災信号を出力する。
【００１９】
危害防止用連動中継器４０は、配線Ｗ３を介して接続される手動閉鎖装置３０から閉鎖信号Ｓ１を受信すると、電源電圧を出力し、これを配線Ｗ２を介して自動閉鎖装置５０に供給する。自動閉鎖装置５０は、危害防止用連動中継器４０から電源電圧が供給されると起動し、シャッターカーテン２０を開放状態に保持するブレーキを解除し、シャッターカーテン２０を降下させる。
【００２０】
手動閉鎖装置３０は、ボタンスイッチ３１を備え、ボタンスイッチ３１が押下されると、閉鎖信号Ｓ１を出力する。手動閉鎖装置３０から発せられた閉鎖信号Ｓ１は、配線Ｗ３を介して危害防止用連動中継器４０に供給される。
【００２１】
障害物感知センサ２４は、シャッターカーテン２０の降下中、座板２２が障害物に接触したこと感知すると障害物感知信号を出力する。危害防止用連動中継器４０は、配線Ｗ４を介して接続される障害物感知センサ２４から障害物感知信号を受信すると、自動閉鎖装置５０への電力供給を停止する。これにより、自動閉鎖装置５０のブレーキが作動し、降下中のシャッターカーテン２０が停止する。
【００２２】
図２は、危害防止用連動中継器４０のより詳細な構成を示す図である。なお、図２においては、障害物感知センサ２４からの障害物感知信号の受信に応じて自動閉鎖装置５０への電力供給を停止する機能部分については図示を省略している。
【００２３】
危害防止用連動中継器４０は、マイクロコンピュータ４１および電源部４２を含んでいる。マイクロコンピュータ４１は、シャッターカーテン２０の降下および降下停止等に関する処理を統括的に制御する機能を有する。マイクロコンピュータ４１は、手動閉鎖装置３０から発せられる閉鎖信号Ｓ１の入力を受け付ける入力端子ｉを有する。マイクロコンピュータ４１は、入力端子ｉに閉鎖信号Ｓ１が入力されると、出力端子ｏから制御信号Ｓ２を出力する。マイクロコンピュータ４１の入力端子ｉおよび出力端子ｏは、電源部４２に接続されている。
【００２４】
電源部４２は、リレー１１０、ＡＣ−ＤＣコンバータ１２０および通電回路１３０を含んでいる。
【００２５】
ＡＣ−ＤＣコンバータ１２０は、外部電源から供給される交流電力を直流電力に変換し、自動閉鎖装置５０を駆動するための電源電圧Ｅ１を出力する。
【００２６】
リレー１１０は、スイッチ部１１１およびコイル１１２を含んでおり、コイル１１２の通電によってスイッチ部１１１の接続状態が切り替わる。スイッチ部１１１の接点ａ１およびａ３は、配線Ｗ１を介して防災盤（図示せず）に接続されている。災害発生時に防災盤から出力される防災信号は、接点ａ１およびａ３に供給される。なお、本実施形態において、接点ａ１は正極側とされ、接点ａ３は負極側とされている。スイッチ部１１１の接点ａ２およびａ４は、ＡＣ−ＤＣコンバータ１２０の出力端子に接続されており、これらの接点ａ２およびａ４には、ＡＣ−ＤＣコンバータ１２０から出力される電源電圧Ｅ１が常時供給されている。本実施形態において、接点ａ２は正極側とされ、接点ａ４は負極側とされている。接点ｂ１およびｂ２は、配線Ｗ２を介して自動閉鎖装置５０に接続されている。コイル１１２は、一端がＡＣ−ＤＣコンバータ１２０の出力端子の正極側に接続され、他端が通電回路１３０に接続されている。
【００２７】
図３Ａは、リレー１１０において、コイル１１２に通電がない場合におけるスイッチ部１１１の接続状態を示す図である。コイル１１２に通電がない場合、接点ｂ１は接点ａ１に接続され、接点ｂ２は接点ａ３に接続される。すなわち、コイル１１２に通電がない場合、自動閉鎖装置５０は、配線Ｗ２、リレー１１０および配線Ｗ１を介して防災盤に接続される。この状態において、防災盤から防災信号が出力されると、自動閉鎖装置５０は、起動し、シャッターカーテン２０を開放状態に保持するブレーキを解除してシャッターカーテン２０を降下させる。
【００２８】
図３Ｂは、リレー１１０において、コイル１１２に通電がある場合におけるスイッチ部１１１の接続状態を示す図である。コイル１１２に通電がある場合、接点ｂ１は接点ａ２に接続され、接点ｂ２は接点ａ４に接続される。すなわち、コイル１１２に通電がある場合、自動閉鎖装置５０は、配線Ｗ２およびリレー１１０を介してＡＣ−ＤＣコンバータ１２０に接続され、自動閉鎖装置５０に電源電圧Ｅ１が供給される。これにより、自動閉鎖装置５０は、起動し、シャッターカーテン２０を開放状態に保持するブレーキを解除してシャッターカーテン２０を降下させる。
【００２９】
図２に示すように、通電回路１３０は、ＮＯＴゲート１３１、ＡＮＤゲート１３２およびトランジスタ１３３、１３４を含んで構成されている。ＮＯＴゲート１３１は、入力端がマイクロコンピュータ４１の出力端子ｏに接続され、出力端がＡＮＤゲート１３２の一方の入力端に接続されている。ＡＮＤゲート１３２の他方の入力端は、マイクロコンピュータ４１の入力端子ｉに接続されている。ＡＮＤゲート１３２の出力端は、トランジスタ１３４のベースに接続されている。トランジスタ１３３は、ベースがマイクロコンピュータ４１の出力端子ｏに接続され、コレクタがコイル１１２の一端に接続され、エミッタがグランドラインに接続されている。トランジスタ１３４は、コレクタがコイル１１２の一端に接続され、エミッタがグランドラインに接続されている。このように、通電回路１３０は、トランジスタ１３３を含む第１の回路と、ＮＯＴゲート１３１、ＡＮＤゲート１３２およびトランジスタ１３４を含む第２の回路と、を有している。
【００３０】
以下に、本実施形態に係るシャッター装置１０の動作について説明する。シャッター装置１０は、通常時において、リレー１１０は、図３Ａに示すように、接点ｂ１が接点ａ１に接続され、接点ｂ２が接点ａ３に接続されている。すなわち、通常時において、自動閉鎖装置５０は、危害防止用連動中継器４０を介して防災盤に接続されている。この状態において、防災盤から防災信号が出力されると、自動閉鎖装置５０は、防災信号を電源として起動し、シャッターカーテン２０を開放状態に保持するブレーキを解除することによりシャッターカーテン２０を自重で降下させる。
【００３１】
シャッター装置１０において、シャッターカーテン２０の閉鎖は、手動閉鎖装置３０のボタンスイッチ３１を押下することによっても行うことが可能である。手動閉鎖装置３０のボタンスイッチ３１が押下されると、手動閉鎖装置３０は、例えばハイレベル（論理値“１”）の閉鎖信号Ｓ１を出力する。閉鎖信号Ｓ１は、マイクロコンピュータ４１の入力端子ｉに入力されるとともに、ＡＮＤゲート１３２の一方の入力端に入力される。
【００３２】
マイクロコンピュータ４１が正常に機能する場合には、マイクロコンピュータ４１は、ハイレベル（論理値“１”）の制御信号Ｓ２を出力する。トランジスタ１３３は、制御信号Ｓ２に応じてオン状態となり、これにより、コイル１１２が通電し、リレー１１０のスイッチ部１１１の接続状態が、図３Ｂに示す状態に切り替わる。その結果、ＡＣ−ＤＣコンバータ１２０から出力される電源電圧Ｅ１が自動閉鎖装置５０に供給され、自動閉鎖装置５０が起動し、シャッターカーテン２０が降下する。
【００３３】
なお、マイクロコンピュータ４１が正常に機能し、ＮＯＴゲート１３１にハイレベル（論理値“１”）の制御信号Ｓ２が入力された場合には、ＮＯＴゲート１３１の出力はローレベル（論理値“０”）となる。従って、ＡＮＤゲート１３２の出力は、ローレベル（論理値“０”）となり、トランジスタ１３４は、オフ状態を維持する。
【００３４】
一方、マイクロコンピュータ４１が正常に機能しない場合には、マイクロコンピュータ４１は、閉鎖信号Ｓ１を受信した場合でもハイレベル（論理値“１”）の制御信号Ｓ２を出力できない。この場合、マイクロコンピュータ４１の出力はローレベル（論理値“０”）となる。従って、トランジスタ１３３は、オフ状態を維持する。マイクロコンピュータ４１が正常に機能せず、マイクロコンピュータ４１の出力端子ｏの電位がローレベル（論理値“０”）となっている場合、ＮＯＴゲート１３１の出力は、ハイレベル（論理値“１”）となる。これにより、ＡＮＤゲート１３２の入力端の各々にはハイレベル（論理値“１”）の信号が入力されることになり、ＡＮＤゲート１３２の出力はハイレベル（論理値“１”）となり、トランジスタ１３４はオン状態となる。トランジスタ１３４がオン状態となることにより、コイル１１２が通電し、リレー１１０のスイッチ部１１１の接続状態が、図３Ｂに示す状態に切り替わる。その結果、ＡＣ−ＤＣコンバータ１２０から出力される電源電圧Ｅ１が自動閉鎖装置５０に供給され、自動閉鎖装置５０が起動し、シャッターカーテン２０が降下する。
【００３５】
以上のように、本発明の実施形態に係るシャッター装置１０によれば、マイクロコンピュータ４１が正常に機能しない場合でも、手動閉鎖装置３０のボタンスイッチ３１が押下された場合には、通電回路１３０がコイル１１２を通電してリレー１１０の接続状態を切り替える。すなわち、電源部４２は、閉鎖信号Ｓ１の入力があった場合には、マイクロコンピュータ４１からの制御信号Ｓ２の出力の有無にかかわらず、電源電圧Ｅ１を出力して自動閉鎖装置５０を起動する。すなわち、本発明の実施形態に係るシャッター装置１０によれば、閉鎖信号Ｓ１が発せられた場合に、より確実にシャッターカーテンを閉鎖状態とすることができる。
【００３６】
図４は、比較例に係る危害防止用連動中継器４０Ｘの構成を示す図である。比較例に係る危害防止用連動中継器４０Ｘは、電源部４２Ｘを構成する通電回路１３０Ｘの構成が、上記した本発明の実施形態に係る通電回路１３０とは異なる。比較例に係る通電回路１３０Ｘは、単一のトランジスタ１３３によって構成されている。すなわち、比較例に係る通電回路１３０Ｘは、本発明の実施形態に係る通電回路１３０におけるＮＯＴゲート１３１、ＡＮＤゲート１３２およびトランジスタ１３４に相当する回路部分を有していない。比較例に係る通電回路１３０Ｘにおいて、トランジスタ１３３は、ベースがマイクロコンピュータ４１の出力端子ｏに接続され、コレクタがコイル１１２の一端に接続され、エミッタがグランドラインに接続されている。
【００３７】
比較例に係る通電回路１３０Ｘによれば、マイクロコンピュータ４１が正常に機能しない場合には、手動閉鎖装置３０のボタンスイッチ３１が押下されても、トランジスタ１３３はオン状態となることができず、リレー１１０の接続状態を切り替えることができない。すなわち、手動閉鎖装置３０のボタンスイッチ３１が押下されても、シャッターカーテン２０を閉鎖状態とすることができない。
【００３８】
一方、本発明の実施形態に係る通電回路１３０は、マイクロコンピュータ４１から制御信号Ｓ２が入力された場合にコイル１１２を通電させるトランジスタ１３３を含む第１の回路に加え、閉鎖信号Ｓ１が入力された場合には、マイクロコンピュータ４１から制御信号Ｓ２が入力されない場合でも、コイル１１２を通電させるＮＯＴゲート１３１、ＡＮＤゲート１３２およびトランジスタ１３４を含む第２の回路を備えているので、閉鎖信号Ｓ１が発せられた場合に、より確実にシャッターカーテンを閉鎖状態とすることが可能である。
【００３９】
［第２の実施形態］
図５は、本発明の第２の実施形態に係る危害防止用連動中継器４０Ａの構成を示す図である。第２の実施形態に係る危害防止用連動中継器４０Ａは、電源部４２Ａを構成する通電回路１３０Ａの構成が、上記した第１の実施形態に係る通電回路１３０とは異なる。第２の実施形態に係る通電回路１３０Ａは、第１の実施形態に係る通電回路１３０におけるＮＯＴゲート１３１およびＡＮＤゲート１３２を、ＯＲゲート１３５に置き換えた構成を有する。ＯＲゲート１３５は、一方の入力端がマイクロコンピュータ４１の入力端子ｉに接続され、他方の入力端がマイクロコンピュータ４１の出力端子ｏに接続されている。ＯＲゲート１３５の出力端はトランジスタ１３４のベースに接続されている。
【００４０】
第２の実施形態に係る通電回路１３０Ａによれば、手動閉鎖装置３０から閉鎖信号Ｓ１が出力されている場合において、マイクロコンピュータ４１が正常に機能する場合には、マイクロコンピュータ４１は、ハイレベル（論理値“１”）の制御信号Ｓ２を出力し、これをトランジスタ１３３のベースに供給する。トランジスタ１３３は、制御信号Ｓ２に応じてオン状態となる。このとき、ＯＲゲート１３５の出力はハイレベル（論理値“１”）となるので、トランジスタ１３４もオン状態となる。これにより、コイル１１２が通電し、リレー１１０の接点が切り替わり、自動閉鎖装置５０が起動する。その結果、シャッターカーテン２０が降下する。
【００４１】
第２の実施形態に係る通電回路１３０Ａによれば、手動閉鎖装置３０から閉鎖信号Ｓ１が出力されている場合において、マイクロコンピュータ４１が正常に機能しない場合には、トランジスタ１３３はオフ状態となるものの、ＯＲゲート１３５の一方の入力端には、ハイレベル（論理値“１”）の閉鎖信号Ｓ１が入力されるので、ＯＲゲート１３５の出力は、ハイレベル（論理値“１”）となる。これにより、トランジスタ１３４がオン状態となり、コイル１１２が通電し、自動閉鎖装置５０が起動する。その結果、シャッターカーテン２０が降下する。
【００４２】
このように、本発明の第２の実施形態に係る通電回路１３０Ａは、マイクロコンピュータ４１から制御信号Ｓ２が入力された場合にコイル１１２を通電させるトランジスタ１３３を含む第１の回路に加え、閉鎖信号Ｓ１が入力された場合には、マイクロコンピュータ４１から制御信号Ｓ２が入力されない場合でもコイル１１２を通電させるＯＲゲート１３５およびトランジスタ１３４を含む第２の回路を備えているので、閉鎖信号Ｓ１が発せられた場合に、より確実にシャッターカーテンを閉鎖状態とすることが可能である。
【００４３】
［第３の実施形態］
図６は、本発明の第３の実施形態に係る危害防止用連動中継器４０Ｂの構成を示す図である。第３の実施形態に係る危害防止用連動中継器４０Ｂは、電源部４２Ｂを構成する通電回路１３０Ｂの構成が、上記した第１および第２の実施形態に係る通電回路１３０および１３０Ａとは異なる
【００４４】
第３の実施形態に係る通電回路１３０Ｂは、第２の実施形態に係る通電回路１３０Ｂにおけるトランジスタ１３３を省略した構成を有する。その他の構成は、第２の実施形態に係る通電回路１３０Ａと同様である。
【００４５】
第３の実施形態に係る通電回路１３０Ｂによれば、手動閉鎖装置３０から閉鎖信号Ｓ１が出力されている場合において、マイクロコンピュータ４１が正常に機能する場合には、マイクロコンピュータ４１は、ハイレベル（論理値“１”）の制御信号Ｓ２を出力し、これをＯＲゲート１３５の一方の入力端に供給する。これにより、ＯＲゲート１３５の出力はハイレベル（論理値“１”）となるので、トランジスタ１３４がオン状態となる。これにより、コイル１１２が通電し、リレー１１０の接点が切り替わり、自動閉鎖装置５０が起動する。その結果、シャッターカーテン２０が降下する。
【００４６】
第３の実施形態に係る通電回路１３０Ｂによれば、手動閉鎖装置３０から閉鎖信号Ｓ１が出力されている場合において、マイクロコンピュータ４１が正常に機能しない場合には、マイクロコンピュータ４１の出力、すなわち、ＯＲゲート１３５の一方の入力端がローレベル（論理値“０”）となるものの、ＯＲゲート１３５の他方の入力端には、ハイレベル（論理値“１”）の閉鎖信号Ｓ１が入力されるので、ＯＲゲート１３５の出力は、ハイレベル（論理値“１”）となる。これにより、トランジスタ１３４がオン状態となり、コイル１１２が通電し、自動閉鎖装置５０が起動する。その結果、シャッターカーテン２０が降下する。
【００４７】
このように、本発明の第３の実施形態に係る通電回路１３０Ｂは、閉鎖信号Ｓ１が入力された場合には、マイクロコンピュータ４１から制御信号Ｓ２が入力されない場合でもコイル１１２を通電させるＯＲゲート１３５およびトランジスタ１３４を含む回路を備えているので、閉鎖信号Ｓ１が発せられた場合に、より確実にシャッターカーテンを閉鎖状態とすることが可能である。
【００４８】
なお、本発明は、各実施形態に係る電源部４２、４２Ａ、４２Ｂの構成に限定されるものではなく、閉鎖信号Ｓ１および制御信号Ｓ２の入力を受け付け、少なくとも閉鎖信号の入力があった場合に電源電圧を出力するように構成されていれば、いかなる構成であってもよい。
【００４９】
また、本実施形態においては、電源部４２、４２Ａ、４２Ｂをそれぞれ、危害防止用連動中継器４０、４０Ａ、４０Ｂに搭載する場合について例示したが、電源部４２、４２Ａ、４２Ｂを危害防止用連動中継器４０、４０Ａ、４０Ｂから独立させてもよいし、電源部４２、４２Ａ、４２Ｂを自動閉鎖装置５０に搭載してもよい。
【００５０】
また、本実施形態においては、降下中のシャッターカーテン２０が、障害物に接触した場合に、シャッターカーテン２０の降下を停止されせる機能を有するシャッター装置を例示したが、当該機能を有しないシャッター装置に本発明を適用することも可能である。
【００５１】
なお、マイクロコンピュータ４１は、本発明の制御部の一例である。電源部４２、４２Ａ、４２Ｂは、本発明の電源部の一例である。自動閉鎖装置５０は、本発明の閉鎖装置の一例である。リレー１１０は、本発明のスイッチの一例である。通電回路１３０、１３０Ａ、１３０Ｂは、本発明における第１の回路、第２の回路および回路の一例である。手動閉鎖装置３０は、本発明の手動装置の一例である。
【符号の説明】
【００５２】
１０  シャッター装置
２０  シャッターカーテン
３０  手動閉鎖装置
４０、４０Ａ、４０Ｂ  危害防止用連動中継器
４１  マイクロコンピュータ
４２、４２Ａ、４２Ｂ  電源部
５０  自動閉鎖装置
１１０  リレー
１１１  スイッチ部
１１２  コイル
１２０  ＡＣ−ＤＣコンバータ
１３０、１３０Ａ、１３０Ｂ  通電回路
【図１】
2016098564.tif 000003
【図２】
2016098564.tif 000004
【図３Ａ】
2016098564.tif 000005
【図３Ｂ】
2016098564.tif 000006
【図４】
2016098564.tif 000007
【図５】
2016098564.tif 000008
【図６】
2016098564.tif 000009